(57)【要約】【課題】  底パッドを使わずに、陳列対象物である商品を安定した状態で収容できるようにした陳列用段ボールケース及び陳列販売方法を提供する。【解決手段】  陳列用段ボールケース１は、四角筒状に形成してある筒状本体２と、筒状本体２の両端の周縁からそれぞれ連続して延びる蓋側のフラップ３１，３２，３３，３４及び底側のフラップ４１，４２，４３，４３を有している。そして、各フラップ３１，３２，３３，３４，４１，４２，４３，４３を内側にそれぞれ折り曲げることによって、陳列用段ボールケース１の端部閉鎖要素が形成される。底側のフラップ４１，４２，４３，４３を折り曲げて底側の端部閉鎖要素を形成したときに、収容する陳列対象物Ｂが倒れてしまうような段差が底に本質的に形成されないようになっている。【選択図】      図３
2007062787.tif 000002
【特許請求の範囲】
【請求項１】
四角筒状に形成してある筒状本体(2)と、該筒状本体(2)の両端の周縁からそれぞれ連続して延びるフラップ(31,32,33,34,41,42,43,44)とを備え、該フラップ(31,32,33,34,41,42,43,44)を内側にそれぞれ折り曲げることによって端部閉鎖要素が形成される陳列用段ボールケースであって、
フラップ(41,42,43,44)を折り曲げて底側の端部閉鎖要素を形成したときに、収容する陳列対象物(B)が倒れてしまうような段差が底に本質的に形成されないようにしてあることを特徴とする、
陳列用段ボールケース。
【請求項２】
四角筒状に形成してある筒状本体(2)と、該筒状本体(2)の両端の周縁からそれぞれ連続して延びるフラップ(31,32,33,34,41,42,43,44)とを備え、該フラップ(31,32,33,34,41,42,43,44)を内側にそれぞれ折り曲げることによって端部閉鎖要素が形成される陳列用段ボールケースであって、
底側の端部閉鎖要素を形成するフラップ(41,42,43,44)のうち、底側内方に配置される一対の内フラップ(41,43)は、底側内方を本質的に隙間なく閉鎖できるように形成されていることを特徴とする、
陳列用段ボールケース。
【請求項３】
四角筒状に形成してある筒状本体(2)と、該筒状本体(2)の両端の周縁からそれぞれ連続して延びるフラップ(31,32,33,34,41,42,43,44)とを備え、該フラップ(31,32,33,34,41,42,43,44)を内側にそれぞれ折り曲げることによって端部閉鎖要素が形成される陳列用段ボールケースであって、
底側の端部閉鎖要素を形成するフラップ(41,42,43,44)のうち、底側内方に配置される一対の内フラップ(41,43)は、端部閉鎖要素を形成した際に内フラップ(41,43)の間に陳列対象物(B)が落ち込むような凹部または溝が形成されないように、その長さが設定されていることを特徴とする、  
陳列用段ボールケース。
【請求項４】
四角筒状に形成してある筒状本体(2)と、該筒状本体(2)の両端縁からそれぞれ連続して延びるフラップ(31,32,33,34,41,42,43,44)とを備え、該フラップ(31,32,33,34,41,42,43,44)を内側にそれぞれ折り曲げて端部閉鎖要素を形成することにより、陳列対象物であるボトル(B)を収容できる箱体を構成でき、更に筒状本体(2)に設けられた切断予定線(25)を境に筒状本体(2)を上下に分断することにより、分断後の底部側で上記ボトル(B)の下部を受けるトレー状体(10)を構成することができる陳列用段ボールケースであって、
底側の端部閉鎖要素を形成した際に、底側内方で向かい合うように配置される一対の内フラップ(41,43)の端部の間隔がボトル(B)の横幅または底部半径よりも小さくなるように、該内フラップ(41,43)の長さが設定されていることを特徴とする、
陳列用段ボールケース。
【請求項５】
筒状本体(2)の周方向に設けられた切断予定線(25)を境に分断することにより、分断後の底部側で陳列対象物(B)の下部を受けるトレー状体(10)を構成することができることを特徴とする、
請求項１ないし３のいずれかに記載の陳列用段ボールケース。
【請求項６】
陳列対象物の陳列販売方法であって、
請求項１ないし５のいずれかに記載の陳列用段ボールケースを使用することにより、底パッドを使わずに、陳列対象物を倒れないように収容して陳列できるようにしたことを特徴とする、
陳列販売方法。
【請求項７】
陳列対象物の陳列販売方法であって、
底側の端部閉鎖要素を形成すると共に、底側を本質的に隙間なく閉鎖することができるフラップを備えた陳列用段ボールケースを使用することにより、底パッドを使わずにフラップで陳列対象物を倒れないように受けて陳列対象物を陳列できるようにしたことを特徴とする、
陳列販売方法。
【発明の詳細な説明】
【技術分野】
【０００１】
本発明は、陳列用段ボールケース及び陳列販売方法に関する。
更に詳しくは、底パッドを使わずに、陳列対象物である商品を安定した状態で収容することができるようにしたものに関する。
【背景技術】
【０００２】
従来、醤油といえば一升瓶に入っているのが一般的であったが、最近では、軽くて割れにくい等の便利さから、瓶ではなくペットボトル入りの醤油（以下、「醤油ボトル」という場合がある）が主流となっている。
【０００３】
そして、この醤油ボトルを醤油メーカーが梱包するケースとしては、例えば図８に示すような段ボールケース９が挙げられる。この段ボールケース９（以下、単に「ケース」という場合がある）には、周壁９１の下部寄りの裏面に全周にわたってカットテープ９２が貼り付けられている。また、カットテープ９２の端部を掴みやすくために、カットテープ９２の途中に横Ｈ字型の切込部９２０が形成されている。
【０００４】
そして、カットテープ９２を引っ張り、カットテープ９２に沿って周壁９１を上下二つに分割してその上方部分を取り外すと、図９に示すように、ケースの下部側がトレー状体９０になり、醤油ボトルＢの上部側を露出させた状態で上下に陳列することができる。
【０００５】
このように、ケース下部側をトレー状体９０にすることで、醤油ボトルＢを簡単に陳列して販売できるので、スーパー等の食料品店で好適に使用されている。特にこの段ボールケースに入れられた醤油ボトルＢがチラシなどに特売品として掲載され、「エンド」と呼ばれる店内スペースに山積みにされて販売されることが多い。「エンド」とは商品陳列棚の両端に設けられたスペースのことを指し、買い物客の注目度が高い場所である。
【０００６】
そして、特売品は比較的短時間で売れてしまうため、店員が段ボールケース９をすぐに開封できるように、通常、段ボールケース９を３〜５段程度積み重ね（図９参照）、更に上から２段目ぐらいまでを開封して陳列しておく。
【０００７】
更に図１１に示すように、ケース９の底面内側には、箱の底を水平に保つために底パッド９３が敷いてあり、メーカー工場では段ボールケース９を組み立てて底パッド９３を敷いた後、醤油ボトルＢが適宜詰められる。通常、例えば容量が１リットルの醤油ボトルＢの場合、一つのケースに縦３列、横５列で計１５本の醤油ボトルＢが入る。
【０００８】
底パッド９３を使用する理由は、以下の通りである。
即ち、段ボールケース９を展開したカートンブランク９００の状態（図１０参照）では、カートンブランク９００の幅方向（図１０で上下方向）の長さが全長にわたって同じになるように、各フラップ９４，９５の短辺部９４１，９５１（図１０で上下方向）の長さは、すべて同じか大体同じ長さとなっている。
【０００９】
これにより、段ボールケース９を組み立てた後では、図１１に示すように、底部内側に折り曲げられた二枚の内フラップ９４，９４の短辺部９４１，９４１の長さは、底部外側に折り曲げられた外フラップ９５，９５の長辺部９５２，９５２（長手方向の長さ）よりも短くなる。このため、向かい合わせに配置された内フラップ９４，９４の間に必然的に凹部８が形成されることになる。
【００１０】
したがって、底パッド９３を使用せずに醤油ボトルＢを詰めた場合、図１２に示すように、この凹部８によって形成される段差８１，８２の上に醤油ボトルＢ（横方向二列目と四列目）が位置することになる。
【００１１】
よって、図９に示すように、段ボールケース９の上方部分を取り外して販売する場合は、底パッド９３がないと、醤油ボトルＢは不安定で倒れやすくなっている。具体的には、買い物客が段差８１と段差部８２の中間に位置する醤油ボトルＢをケースから引き抜くと、段差の上にある醤油ボトルＢが倒れる。そうなると、陳列時の見た目が悪くなるばかりではなく、次の買い物客が醤油ボトルＢを取りにくくなる。
【００１２】
更に底パッド９３を使用しない場合、凹部８に醤油ボトルＢが落ち込むことによって、中央列の醤油ボトルＢ１の高さが両サイドよりも一段低くなり、醤油ボトルＢ１の上部全体面が面一でなくなる。このため、図９に示すように、醤油ボトルＢを積み重ねると下方のケースがかなり不安定になり、上部側のケースが落ちてくる可能性がある。
【００１３】
以上説明したように、従来の段ボールケース９では、醤油ボトルＢの下に段差ができないように必ず底パッド９３を使用する必要があった。
【発明の開示】
【発明が解決しようとする課題】
【００１４】
しかしながら、底パッド９３の使用には次のような課題があった。
通常、醤油ボトルＢを大量に製造する醤油メーカーでは、折り畳まれた状態の段ボールケースを数百枚の単位で段ボールメーカーから購入している。そして、同じ容量の醤油ボトルであっても、「うすくち」、「こいくち」、「減塩」、「特選」など種類が多岐にわたり、その種類ごとに段ボールケース表面の印刷も異なっている。
【００１５】
更には醤油ボトルの容量も１リットルだけではなく、５００ミリリットル、１．５リットル、１．８リットルと様々であり、その容量の違いによって段ボールケースの大きさも異なる。したがって、醤油メーカーでは、醤油ボトルの種類や大きさごとにそれぞれ段ボールケースを購入している。このため、醤油メーカーの倉庫には、大量の段ボールケースが種類ごとに分けて保管されており、その在庫管理が煩雑となっている。
【００１６】
更には、段ボールケースと共に使用する大量の底パッドについても、別途スペースをとって保管・管理する必要がある。このため、醤油メーカー側にとっては、底パッドだけでも無くして、少しでも在庫管理に要する負担を減らしたいという要望がある。
【００１７】
また醤油ボトルＢの製函時には、底パッドがあるゆえに、段ボールケースと底パッドをそれぞれ倉庫から作業場に運び出す必要があり、作業効率が悪い。
【００１８】
更に、段ボール箱の組み立ては製函機を使って自動的に行うことができるが、底パッドがあるゆえに、段ボールケースの組み立て後に底パッドを敷く工程が必要となり、作業効率が悪い。また、底パッドを敷く作業を人手に頼っている醤油メーカーにとっては、人件費が割高となる。他方、醤油を販売する側であるスーパー等の食料品店にとっても、底パッドがあるゆえに、販売後、底パッドを廃棄処分するための作業が繁雑となっている。
【００１９】
そこで、本発明者は、底パッドを使用しなくても商品を支障なく陳列販売できないかという発想のもとに鋭意研究を進めた結果、上記した課題を解決できる陳列用段ボールケースを完成するに至った。
【００２０】
（本発明の目的）
そこで本発明の目的は、底パッドを使わずに、陳列対象物である商品を安定した状態で収容できるようにすることにある。
また本発明の他の目的は、陳列対象物である商品を安定した状態で収容することにより、商品を陳列して販売する際に商品が倒れないようにすることにある。
【課題を解決するための手段】
【００２１】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００２２】
第１の発明にあっては、
四角筒状に形成してある筒状本体(2)と、該筒状本体(2)の両端の周縁からそれぞれ連続して延びるフラップ(31,32,33,34,41,42,43,44)とを備え、該フラップ(31,32,33,34,41,42,43,44)を内側にそれぞれ折り曲げることによって端部閉鎖要素が形成される陳列用段ボールケースであって、
フラップ(41,42,43,44)を折り曲げて底側の端部閉鎖要素を形成したときに、収容する陳列対象物(B)が倒れてしまうような段差が底に本質的に形成されないようにしてあることを特徴とする、
陳列用段ボールケースである。
【００２３】
第２の発明にあっては、
四角筒状に形成してある筒状本体(2)と、該筒状本体(2)の両端の周縁からそれぞれ連続して延びるフラップ(31,32,33,34,41,42,43,44)とを備え、該フラップ(31,32,33,34,41,42,43,44)を内側にそれぞれ折り曲げることによって端部閉鎖要素が形成される陳列用段ボールケースであって、
底側の端部閉鎖要素を形成するフラップ(41,42,43,44)のうち、底側内方に配置される一対の内フラップ(41,43)は、底側内方を本質的に隙間なく閉鎖できるように形成されていることを特徴とする、
陳列用段ボールケースである。
【００２４】
第３の発明にあっては、
四角筒状に形成してある筒状本体(2)と、該筒状本体(2)の両端の周縁からそれぞれ連続して延びるフラップ(31,32,33,34,41,42,43,44)とを備え、該フラップ(31,32,33,34,41,42,43,44)を内側にそれぞれ折り曲げることによって端部閉鎖要素が形成される陳列用段ボールケースであって、
底側の端部閉鎖要素を形成するフラップ(41,42,43,44)のうち、底側内方に配置される一対の内フラップ(41,43)は、端部閉鎖要素を形成した際に内フラップ(41,43)の間に陳列対象物(B)が落ち込むような凹部または溝が形成されないように、その長さが設定されていることを特徴とする、  
陳列用段ボールケースである。
【００２５】
第４の発明にあっては、
四角筒状に形成してある筒状本体(2)と、該筒状本体(2)の両端縁からそれぞれ連続して延びるフラップ(31,32,33,34,41,42,43,44)とを備え、該フラップ(31,32,33,34,41,42,43,44)を内側にそれぞれ折り曲げて端部閉鎖要素を形成することにより、陳列対象物であるボトル(B)を収容できる箱体を構成でき、更に筒状本体(2)に設けられた切断予定線(25)を境に筒状本体(2)を上下に分断することにより、分断後の底部側で上記ボトル(B)の下部を受けるトレー状体(10)を構成することができる陳列用段ボールケースであって、
底側の端部閉鎖要素を形成した際に、底側内方で向かい合うように配置される一対の内フラップ(41,43)の端部の間隔がボトル(B)の横幅または底部半径よりも小さくなるように、該内フラップ(41,43)の長さが設定されていることを特徴とする、
陳列用段ボールケースである。
【００２６】
第５の発明にあっては、
筒状本体(2)の周方向に設けられた切断予定線(25)を境に分断することにより、分断後の底部側で陳列対象物(B)の下部を受けるトレー状体(10)を構成することができることを特徴とする、
第１ないし第３のいずれかの発明に係る陳列用段ボールケースである。
【００２７】
第６の発明にあっては、
陳列対象物の陳列販売方法であって、
第１ないし第５のいずれかの発明に係る陳列用段ボールケースを使用することにより、底パッドを使わずに、陳列対象物を倒れないように収容して陳列できるようにしたことを特徴とする、
陳列販売方法である。
【００２８】
第７の発明にあっては、
陳列対象物の陳列販売方法であって、
底側の端部閉鎖要素を形成すると共に、底側を本質的に隙間なく閉鎖することができるフラップを備えた陳列用段ボールケースを使用することにより、底パッドを使わずにフラップで陳列対象物を倒れないように受けて陳列対象物を陳列できるようにしたことを特徴とする、
陳列販売方法である。
【００２９】
陳列対象物であるボトルの内容物としては、醤油、ドレッシング、めんつゆ、お酢等の調味液や、ミネラルウォーターやジュース等の飲料物等を挙げることができる。
【００３０】
筒状本体に設けられる「切断予定線」の用語は、切断手段を持つものの他、単に切断予定線を単に表示したものも含む広い概念として使用している。切断手段を持つものとしては、断続する切断線を有するもの、厚み方向に途中まで切ってあるもの、あるいは糸，帯（カットテープ）等を用いるものが挙げられる。
【００３１】
陳列対象物としてボトルを収容する場合、底側内方で向かい合うように配置される一対の内フラップの端部の間隔は、ボトルの横幅または底部半径よりも小さいことが好ましい。ボトルの横幅または底部半径よりも小さくすることにより、内フラップの間にボトルが落ち込むような凹部または溝が形成されることを防止するためである。
【００３２】
例えば横幅または底部直径が約８０ミリ（底部半径約４０ミリ）である容量１リットルのボトルの場合、底側内方に配置される一対の内フラップの端部の間隔は４０ミリ未満が好ましく、好ましくは３５ミリ以下、より好ましくは１０ミリ以下である。
【００３３】
（作  用）
本発明は次のように作用する。
筒状本体(2)の両端の周縁からそれぞれ連続して延びるフラップ(31,32,33,34,41,42,43,44)を内側にそれぞれ折り曲げて、陳列用段ボールケース(1)の端部閉鎖要素を形成する。そして、本発明に係る陳列用段ボールケースでは、フラップ(41,42,43,44)を折り曲げて底側の端部閉鎖要素を形成しても、収容する陳列対象物(B)が倒れてしまうような段差が底に本質的に形成されることはない。よって、底パッドを使わずに、陳列対象物(B)を安定した状態で収容できる。
【００３４】
また、底側内方に配置される一対の内フラップ(41,43)により、底側内方を本質的に隙間なく閉鎖できるものでは、その底側内方に底パッドを使用しなければならないような凹部または溝は形成されない。よって、底パッドを使わずに、陳列対象物(B)を安定した状態で収容できる。
【００３５】
更に、底側内方に配置される一対の内フラップ(41,43)が、端部閉鎖要素を形成した際に内フラップ(41,43)の間に陳列対象物(B)が落ち込むような凹部または溝が形成されないように、その長さが設定されているものについても、底側内方には底パッドを使用しなければならないような凹部または溝は形成されない。よって、底パッドを使わずに、陳列対象物(B)を安定した状態で収容できる。
【００３６】
更に筒状本体(2)に切断予定線(25)が設けられているものは、切断予定線(25)を境に筒状本体(2)を上下に分断する。これにより、分断後の底部側で陳列対象物(B)の下部を受けるトレー状体(10)を構成する。
【００３７】
また底側の端部閉鎖要素を形成した際に、底側内方で向かい合うように配置される一対の内フラップ(41,43)の端部の間隔が陳列対象物であるボトル(B)の横幅または底部半径よりも小さくなるように、該内フラップ(41,43)の長さが設定されているものは、底パッドを使用しなくても、内フラップの間にはボトルが底に落ち込むような凹部または溝は形成されない。よって、底パッドを使わずに、陳列対象物を安定した状態で収容できる。
【発明の効果】
【００３８】
本発明は上記構成を備え、次の効果を有する。
（ａ）本発明に係る陳列用段ボールケースによれば、フラップ(41,42,43,44)を折り曲げて底側の端部閉鎖要素を形成したときに、収容する陳列対象物(B)が倒れてしまうような段差が底に本質的に形成されないようにしてあるので、底パッドを使わなくても、陳列対象物を安定した状態で収容できる。これにより、陳列対象物を陳列して販売する際に、陳列対象物である商品が倒れてしまうことを防止できる。
【００３９】
（ｂ）底側の端部閉鎖要素を形成するフラップのうち、底側内方に配置される一対の内フラップが底側内方を本質的に隙間なく閉鎖できるように形成されているものは、陳列用段ボールケースの底側内方に、底パッドを使用しなければならないような凹部または溝は形成されない。よって、底パッドを使わずに、陳列対象物を安定した状態で収容でき、上記のものと同様の効果が得られる。
【００４０】
（ｃ）底側の端部閉鎖要素を形成するフラップのうち、底側内方に配置される一対の内フラップが、端部閉鎖要素を形成した際に内フラップの間に陳列対象物が落ち込むような凹部または溝が形成されないように、その長さが設定されているものは、底パッドを使用しなくても、陳列対象物が底に落ち込むような凹部または溝は形成されない。よって、底パッドを使わずに、陳列対象物を安定した状態で収容でき、上記のものと同様の効果が得られる。
【００４１】
（ｄ）底側の端部閉鎖要素を形成した際に、底側内方で向かい合うように配置される一対の内フラップの端部の間隔が、陳列対象物であるボトルの横幅または底部半径よりも小さくなるように、各内フラップの長さが設定されているものは、底パッドを使用しなくても、内フラップの間にはボトルが底に落ち込むような凹部または溝は形成されない。よって、底パッドを使わずに、陳列対象物を安定した状態で収容でき、上記のものと同様の効果が得られる。
【００４２】
（ｅ）筒状本体の周方向に設けられた切断予定線を境に上下に分断することにより、分断後の底部側で陳列対象物の下部を受けるトレー状体を構成することができるものでは、トレー状体にすることで、陳列対象物の上部側を露出させた状態で陳列できる。
【００４３】
（ｆ）本発明に係る陳列対象物の陳列販売方法によれば、底パッドを使わずに、陳列対象物である商品を安定した状態で収容して販売することができる。
【発明を実施するための最良の形態】
【００４４】
以下、本発明を実施例により説明するが、本発明はこれらに限定されるものではない。
【００４５】
本発明を図面に示した実施例に基づき更に詳細に説明する。
【実施例】
【００４６】
図１ないし図６は、本発明に係る陳列用段ボールケースの一実施例を示す説明図である。
図１は、陳列用段ボールケースを示す斜視説明図であり、陳列対象物である醤油ボトルを収納している状態を示している。
図２は、陳列用段ボールケースを底側から見た斜視説明図であり、底側内方の内フラップを閉じ、底側外方の外フラップを拡げた状態を示している。
【００４７】
図３は、陳列用段ボールケースを分割して得られたトレー状体を示す斜視説明図を示している。
図４は、図３の平面視説明図であり、トレー状体に収容した醤油ボトルを一点鎖線で示している。
【００４８】
なお、本実施例では、陳列対象物としてペットボトル入りの醤油を例として挙げて説明する。そして、図１及び図４に示すように、本実施例では、陳列用段ボールケース１は、容量が１リットルの醤油ボトルＢを縦三列、横五列の計１５本収容できる大きさで形成されている。
【００４９】
図１及び図２に示すように、陳列用段ボールケース１は、四角筒状に形成してある筒状本体２と、筒状本体２の両端の周縁からそれぞれ連続して延びる蓋側のフラップ３１，３２，３３，３４及び底側のフラップ４１，４２，４３，４３を有している。筒状本体２は、四つの側壁２１，２２，２３，２４を備えている。
【００５０】
筒状本体２の蓋側の端の周縁に設けてある四つの壁部であるフラップ３１，３２，３３，３４（図１参照）のうち、幅が狭い方が内フラップ３１，３３となっており、幅が広い長尺のものが外フラップ３２，３４となっている。
【００５１】
また、筒状本体２の底側の端の周縁に設けてある四つの壁部であるフラップ４１，４２，４３，４４（図２参照）のうち、幅が狭い方が内フラップ４１，４３となっており、幅が広い長尺のものが外フラップ４２，４４となっている。
【００５２】
そして、それぞれの内フラップ３１，３３，４１，４３及び外フラップ３２，３４，４２，４４を内側に折り曲げることによって、これらのフラップは陳列用段ボールケース１の端部閉鎖要素を構成する。これにより、醤油ボトルＢを収容・搬送できる箱体を構成できる。
【００５３】
更に筒状本体２には、側壁２１，２２，２３，２４の下部寄りの裏面に全周にわたって切断予定線であるカットテープ２５（一点鎖線で示す）が貼り付けられている。更にカットテープ２５の端部を掴みやすくために、カットテープ２５の途中には横Ｈ字型の切込部２６が形成されている。
【００５４】
このカットテープ２５を引っ張って、側壁２１，２２，２３，２４を上下二つに分割してその上方部分を取り外すと、図３に示すように、分断後の底部側で醤油ボトルの下部を受けるトレー状体１０を構成することができる。トレー状体１０は、四つの側壁２１０，２２０，２３０，２４０を備えている。
なお、図３では、側壁２１０，２２０，２３０，２４０の符号の横に、分断前の陳列用段ボールケースの側壁２１，２２，２３，２４の符号を括弧を付けて図示している。
【００５５】
底側の端部閉鎖要素を形成するフラップ（図２参照）のうち、底側内方で端部が向かい合うように配置される一対の内フラップ４１，４３は、端部閉鎖要素を形成した際に、内フラップ４１，４３の間に醤油ボトルが落ち込むような凹部または溝が形成されないように、その長さが設定されている。
【００５６】
図５は、陳列用段ボールケースの展開状態であるカートンブランクを裏面側から見た状態を示す平面視説明図である。
図６は、図５に示すカートンブランクを端辺部の接合部で接合して小さく畳んだ状態を示す平面視説明図である。
以下、陳列用段ボールケース１の各構成部分について、順を追って詳しく説明する。
【００５７】
陳列用段ボールケース１は、展開状態である図５に示すようなカートンブランク１００から形成される。カートンブランク１００は、一枚の平らなシート状の段ボール紙から切り出されて作られる。
【００５８】
展開状態において、陳列用段ボールケース１は、筒状本体２を構成する連設された四つの側壁２１，２２，２３，２４を有している。また、図５で各側壁２１，２２，２３，２４の上縁部側には、蓋側の端部閉鎖要素を構成する内フラップ３１，３３及び外フラップ３２，３４がそれぞれ連設されている。
【００５９】
各側壁２１，２２，２３，２４の下縁部側には、底側の端部閉鎖要素を構成する内フラップ４１，４３及び外フラップ４２，４４がそれぞれ連設されている。なお、本実施の形態では、長尺なフラップが外フラップであるが、組み立て時において、内フラップを外側にしても支障はない。
【００６０】
また展開状態において、隣接する各内フラップ３１，３３，４１，４３と外フラップ３２，３４，４２，４４の間には、段ボール紙の厚さに対応した寸法を有する隙間５がそれぞれ設けられている。この隙間５により、組立時の内フラップ３１，３３，４１，４３と外フラップ３２，３４，４２，４４の重なり合いが良好にできるようになっている。
【００６１】
各側壁２１，２２，２３，２４の底側寄りには、上記したカットテープ２５が側壁２１，２２，２３，２４の連設方向に沿って設けてあり、その途中に上記した横Ｈ字型の切込部２６が形成されている。
【００６２】
図５で右端に位置する側壁２４の端辺部には、接合面としての糊代等の接合部２４１が設けてある。接着剤により、この接合部２４１と図５で左端に位置する側壁２１とを接着することにより、陳列用段ボールケース１を図６に示すような小さく畳んだ状態にできる。この図６に示す状態で、陳列用段ボールケース１は出荷される。そして、出荷先で図６の状態から図１に示す箱体の状態に組み立てられる。組み立てには粘着テープ等が使用される。
【００６３】
図５に示すように、蓋側の内フラップ３１，３３の短辺部３１１，３３１と外フラップ３２，３４の短辺部３２１，３４１の長さ（折り曲げ方向の長さ）は、同じか大体同じである。
【００６４】
これに対し、底側の内フラップ４１，４３の短辺部４１１，４３１と外フラップ４２，４４の短辺部４２１，４４１の長さ（折り曲げ方向の長さ）は、蓋側とは相違して、同じか大体同じ長さにはなっていない。
【００６５】
即ち、内フラップ４１，４３の短辺部４１１，４３１の長さは、外フラップ４２，４４の短辺部４２１，４４１よりも長くなっている。詳しくは、この短辺部４１１，４３１の長さは、外フラップ４２，４３が連設されている側壁２２，２４の幅方向である長辺部２２２，２４２の長さのほぼ半分の長さに設定されている。
【００６６】
これにより、底側の内フラップ４１，４３（図２参照）を折り曲げて底側の開口部６１を閉じた際に、内フラップ４１，４３の間に醤油ボトルが落ち込むような凹部または溝が形成されないようになっている（図３及び図４も参照）。
【００６７】
上記したように、本実施例では、陳列用段ボールケース１は、容量が１リットルの醤油ボトルＢを縦三列、横五列の計１５本収容できる大きさで形成されている。具体的には、陳列用段ボールケース１の大きさは、横が約４１０ミリ、幅が約２５０ミリ、高さが約２８５ミリである。醤油ボトルＢの大きさは、底部直径が約８０ミリ、高さが約２５５ミリである。
【００６８】
また各外フラップ３２，３４，４２，４４の大きさは、横が約４００ミリ、縦（折り曲げ方向の長さ）が約１２５ミリである。これに対し、底側の内フラップ４１，４３の大きさは、横が約２４０ミリ、縦が約１９５ミリである。そして、開口部６１（図２参照）を閉じた底側の一対の内フラップ４１，４３の端部の間隔は、醤油ボトルＢの底部半径である４０ミリよりも小さくなっており、具体的には約１０ミリとなっている。
【００６９】
この約１０ミリの若干の隙間４００は、底側の一対の外フラップ４２，４４間（図４で一点鎖線と符号２００で示す隙間）や蓋側の一対の外フラップ３２，３４間（図面で表れず）にも同様に形成されている。この隙間４００，２００により、陳列用段ボールケース１の組み立てを製函機を使って自動的に行う際に、向かい合わせに配置された一対の各フラップの端部同士が接触することを防止でき、その結果、フラップをスムーズに内側へ折り曲げることができるようになっている。
【００７０】
（作  用）
本実施例に係る陳列用段ボールケース１（以下、単に「ケース」という場合がある）は、次のように作用する。
【００７１】
通常、段ボールメーカーで製造される陳列用段ボールケース１は、図６に示すような畳んだ状態で醤油メーカーに出荷される。そして、醤油メーカーの工場等において、陳列用段ボールケース１が図１のように組み立てられる。この際、陳列用段ボールケース１の底には、底パッドを敷く必要はない。そして、陳列用段ボールケース１に商品である醤油ボトルＢの詰め込み後、梱包して、スーパー等の販売店に出荷される。
【００７２】
次いで、販売店において、陳列用段ボールケース１に設けてあるカットテープ２５を引っ張ってケース上部側を取り除き、下部側をトレー状体１０にする。これにより、従来と同様（図８参照）、醤油ボトルＢの上部側を露出させた状態にして陳列できる。
【００７３】
そして、本実施例では、底側の内フラップ４１，４３の間に醤油ボトルＢが落ち込むような凹部または溝が形成されないように、内フラップ４１，４３（図３及び図４参照）の長さが設定されている。即ち、底側のフラップ４１，４２，４３，４３を折り曲げて底側の端部閉鎖要素を形成したときに、収容する醤油ボトルＢが倒れてしまうような段差が底に本質的に形成されないようになっている。したがって、図１１に示すように、底パッド９３を使用しないと内フラップ４１，４３の間に凹部８が形成されていた従来のものと相違して、底パッドを使用しなくても、醤油ボトルＢを安定した状態で収容できる。
【００７４】
また、凹部に醤油ボトルＢが落ち込むことはないので、中央列の醤油ボトルＢの高さが両サイドよりも一段低くなることもなく、醤油ボトルＢの上部全体面が本質的に面一に保たれる。このため、例えば図９に示すように、醤油ボトルＢを積み重ねても下方のケースは安定しているため、上部側のケースが崩れるような可能性は低い。
【００７５】
以上説明したように、陳列用段ボールケース１を使用すれば、底パッドを使わずに醤油ボトルＢを安定した状態で収容でき、その結果、醤油ボトルＢを陳列して販売する際に商品が倒れてしまうことを防止できる。
【００７６】
このように底パッドを無くすことができるので、醤油メーカー側にとっては在庫管理に要する負担を減らすことができる。また醤油ボトルＢの製函時には、段ボールケースと底パッドをそれぞれ倉庫から作業場に運び出す必要もなく、作業効率が向上する。
【００７７】
更に、ケースの組み立て後に底パッドを敷く工程が不要になるため、ケース組み立て時の作業効率も向上する。また、底パッドを敷く作業を人手に頼っている醤油メーカーにとっては、不要な人件費の抑制が可能となる。他方、醤油を販売する側であるスーパー等の食料品店にとっても、底パッドを廃棄処分するための煩雑な作業がなくなり、作業効率が向上する。
【００７８】
図７は、他の実施例に係る陳列用段ボールケースの底面を示す概略説明図であり、収容する醤油ボトルの大きさとその配列状態が分かるように、陳列用段ボールケースの底面と醤油ボトルを概略的に表している。
【００７９】
上記した陳列用段ボールケース１（図４参照）の大きさは、容量が１リットルの醤油ボトルＢを縦三列、横五列の計１５本収容できるように形成されている。ただし、陳列用段ボールケースの大きさは、これに限定するものではなく、図７に示すように醤油ボトルの大きさやその収容本数に応じて適宜設定される。
【００８０】
例えば図７(ａ)では、陳列用段ボールケース１ａの大きさは、容量が１．８リットルの醤油ボトルＢ１を縦四列、横二列の計８本収容できるように形成されている。この場合の醤油ボトルＢ１の大きさは、底部直径が約１０５ミリ、高さが約３００ミリであり、陳列用段ボールケースの大きさは、横が約４２５ミリ、幅が約２１５ミリ、高さが約３３０ミリである。この場合の底側内方に配置される一対の内フラップの端部の間隔は５２．５ミリ未満が好ましく、より好ましくは１０ミリ以下である。
【００８１】
また、容量が１．５リットルの醤油ボトルの場合も、陳列用段ボールケースの大きさは、図７(ａ)と同じ縦と横の列で計８本収容できるように形成されている。この場合の醤油ボトルの大きさは、底部直径が約１０５ミリ、高さが約２５５ミリであり、陳列用段ボールケースの大きさは、横が約４２５ミリ、幅が約２１５ミリ、高さが約２８０ミリである。この場合の底側内方に配置される一対の内フラップの端部の間隔は５２．５ミリ未満が好ましく、より好ましくは１０ミリ以下である。
【００８２】
図７(ｂ)では、陳列用段ボールケース１ｂの大きさは、容量が５００ミリリットルの醤油ボトルＢ２を縦四列、横三列の計１２本収容できるように形成されている。この場合の醤油ボトルＢ１の大きさは、底部直径が約７４ミリ、高さが約１６５ミリであり、陳列用段ボールケース１ｂの大きさは、横が約３０５ミリ、幅が約２３０ミリ、高さが約１９５ミリである。この場合の底側内方に配置される一対の内フラップの端部の間隔は３７ミリ未満が好ましく、より好ましくは１０ミリ以下である。
【００８３】
図７(ｃ)では、陳列用段ボールケース１ｃの大きさは、容量が５００ミリリットルの醤油ボトルＢ３を縦五列、横四列の計２０本収容できるように形成されている。この場合の醤油ボトルＢ３の大きさは、底部直径が約６０ミリ、高さが約２００ミリであり、陳列用段ボールケース１ｃの大きさは、横が約３３５ミリ、幅が約２７０ミリ、高さが約２３５ミリである。この場合の底側内方に配置される一対の内フラップの端部の間隔は３０ミリ未満が好ましく、より好ましくは１０ミリ以下である。
【００８４】
図７(ｄ)では、陳列用段ボールケース１ｄの大きさは、容量が４００ミリリットルの醤油ボトルＢ４を縦三列、横四列の計１２本収容できるように形成されている。この場合の醤油ボトルＢ４の大きさは、底部直径が約６５ミリ、高さが約１８０ミリであり、陳列用段ボールケース１ｄの大きさは、横が約２８５ミリ、幅が約２１０ミリ、高さが約１９０ミリである。この場合の底側内方に配置される一対の内フラップの端部の間隔は３２．５ミリ未満が好ましく、より好ましくは１０ミリ以下である。
【００８５】
このように、陳列用段ボールケース１ａ〜１ｄにも、図４に示した陳列用段ボールケース１と同様に、底部内方に醤油ボトルが落ち込むような凹部または溝が形成されないよう、底部側の一対の内フラップの長さが適宜設定されている。
【００８６】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００８７】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００８８】
【図１】本実施例に係る陳列用段ボールケースを示す斜視説明図。
【図２】陳列用段ボールケースを底側から見た斜視説明図。
【図３】陳列用段ボールケースを分割して得られたトレー状体を示す斜視説明図。
【図４】図３の平面視説明図。
【図５】陳列用段ボールケースの展開状態であるカートンブランクを裏面側から見た状態を示す平面視説明図。
【図６】図５に示すカートンブランクを端辺部の接合部で接合して小さく畳んだ状態を示す平面視説明図。
【図７】他の実施例に係る陳列用段ボールケースの底面を示す概略説明図。
【図８】従来の段ボールケースを示す斜視説明図。
【図９】従来の段ボールケースの使用状態を示す斜視説明図。
【図１０】従来の段ボールケースの展開状態であるカートンブランクを裏面側から見た状態を示す平面視説明図。
【図１１】従来の段ボールケースを分割して得られたトレー状体と底パッドの位置関係を示す斜視説明図。
【図１２】図１１に示すトレー状体の平面視説明図。
【符号の説明】
【００８９】
１〜１ｄ 陳列用段ボールケース
Ｂ〜Ｂ４ 醤油ボトル
２ 筒状本体
５ 隙間
８ 凹部
１０ トレー状体
２１，２２，２３，２４ 側壁
２５ カットテープ
２６ 切込部
３１，３３，４１，４３  内フラップ
３２，３４，４２，４４  外フラップ
６１ 開口部
１００ カートンブランク
２００, ４００ 隙間
２１０，２２０，２３０，２４０ 側壁
２１１，２３１，２１２，２３２ 短辺部
２２２，２３２ 長辺部
２４１ 接合部
３１１， ３２１，３３１，３４１,４１１，４２１，４３１，４４１ 短辺部
【図１】
2007062787.tif 000003
【図２】
2007062787.tif 000004
【図３】
2007062787.tif 000005
【図４】
2007062787.tif 000006
【図５】
2007062787.tif 000007
【図６】
2007062787.tif 000008
【図７】
2007062787.tif 000009
【図８】
2007062787.tif 000010
【図９】
2007062787.tif 000011
【図１０】
2007062787.tif 000012
【図１１】
2007062787.tif 000013
【図１２】
2007062787.tif 000014